(57)【特許請求の範囲】
【請求項１】
吸込口と吐出口とを有し、内部に排気用送風機を介して前記吸込口と室外を連通する排気通路と循環用送風機および熱交換器を介して前記吸込口と前記吐出口とを連通する循環通路とを設けた本体と、取付板に設けた角形のダクト、および前記取付板と同一外形の取付板に設けた丸形のダクトとを備え、前記ダクトを前記浴室の壁部を貫通して形成される貫通孔に対応して角形あるいは丸形に交換可能に、前記本体に有した吸込口と吐出口を浴室と連通するように前記本体に前記取付板を介して着脱自在に設けることを特徴とする浴室換気乾燥装置。
【請求項２】
角形および丸形のダクトの取付板の上部側に設けられる本体側に向け突出した引掛部と、この引掛部が対応する本体部分に前記引掛部が係合する切欠部とを設け、前記引掛部に前記切欠部を係合してダクトと本体が仮固定できる構成とした請求項１記載の浴室換気乾燥装置。
【請求項３】
既築の浴室の壁部に形成されている自然換気用または換気扇用の角孔に装着できる形状に角形ダクトを形成した請求項１または２記載の浴室換気乾燥装置。
【発明の詳細な説明】
【０００１】
【産業上の利用分野】
本発明は、浴室を利用して洗濯物を乾燥するとともに、浴室の暖房および換気する機能を備えた浴室換気乾燥装置に関する。
【０００２】
【従来の技術】
近年、雨の日には洗濯物を室内で乾かすことが多いが室内の湿度が高く乾きにくいため、浴室を洗濯物の乾燥の場所として利用する浴室換気乾燥装置が普及している。
【０００３】
従来、この種の浴室の外壁に取り付けられる浴室換気乾燥装置は、壁を貫通して吸込用丸ダクトと吐出用丸ダクトが設けられ、外壁に本体が取り付けられる構成が一般的であった。
【０００４】
以下、その構成について図７および図８を参照しながら説明する。
図に示すように、浴室１００に連通する吸込口１０１と吐出口１０２とを設けた本体１０３と、この本体１０３内に一方は、前記吸込口１０１から排気用送風機１０４を介して室外１０５と連通する排気通路１０６と、他方は、前記吸込口１０１から循環用送風機１０７、熱交換器１０８を介して前記吐出口１０２に連通した循環通路１０９とを有し、壁１１０を貫通する前記吸込口１０１に対応した吸込用丸ダクト１１１と、前記吐出口１０２に対応した吐出用丸ダクト１１２が固定されている。また、浴室１００壁面１１３には前記吸込用丸ダクト１１１に対応した吸込グリル１１４および吐出用丸ダクト１１２に対応した吐出グリル１１５が設けられていた。
【０００５】
【発明が解決しようとする課題】
このような従来の浴室換気乾燥装置の構成では、本体１０３に吸込用丸ダクト１１１と吐出用丸ダクト１１２が固定されているため、既築の浴室１００の外壁に設けてある自然換気用および換気扇用の角孔（縦約１５ｃｍ横約２０ｃｍ）には取り付けられないという問題があった。
【０００６】
また、新築および既築で、外壁に開けた２つの丸貫通孔に吸込用丸ダクト１１１と吐出用丸ダクト１１２を挿入する場合、本体１０３が邪魔で見にくく本体１０３が取り付けにくいという問題があった。
【０００７】
本発明は上記課題を解決するもので、既築の浴室の外壁に設けてある自然換気用および換気扇用の角貫通孔（縦約１５ｃｍ横約２０ｃｍ）にも、また、既築後でも開けやすい丸貫通孔にも取り付けできる浴室換気乾燥装置を提供することを第１の目的とする。
【０００８】
また、第２の目的は、外壁に本体を仮固定することにより取り付けを容易にし、施工性を向上することにある。
【０００９】
【課題を解決するための手段】
本発明の浴室換気乾燥装置は上記第１の目的を達成するために第１の手段は、吸込口と吐出口とを有し、内部に排気用送風機を介して前記吸込口と室外を連通する排気通路と循環用送風機および熱交換器を介して前記吸込口と前記吐出口とを連通する循環通路とを設けた本体と、取付板に設けた角形のダクト、および前記取付板と同一外形の取付板に設けた丸形のダクトとを備え、前記ダクトを前記浴室の壁部を貫通して形成される貫通孔に対応して角形あるいは丸形に交換可能に、前記本体に有した吸込口と吐出口を浴室と連通するように前記本体に前記取付板を介して着脱自在に設ける構成とする。
【００１０】
また、第２の目的を達成するために第２の手段は、第１の手段に加え角形および丸形のダクトの取付板の上部側に設けられる本体側に向け突出した引掛部と、この引掛部が対応する本体部分に前記引掛部が係合する切欠部とを設け、前記引掛部に前記切欠部を係合してダクトと本体が仮固定できる構成とする。
【００１１】
また、第１の目的を達成するために第３の手段は、第１の手段の角形のダクトの形状を既築の浴室の壁部に形成されている自然換気用または換気扇用の角孔に装着できる形状に形成した構成とする。
【００１２】
【作用】
本発明は上記した第１の手段の構成により浴室の壁部を貫通して設けられる貫通孔が角形または丸形の何れの場合にも容易に設置できる。
【００１３】
また、第２の手段の構成により、ダクトと本体が仮固定できるため、本体取り付け作業が一人で容易にできる。
【００１４】
また、第３の手段の構成により、既築の浴室の壁部に自然換気用または換気扇用として形成された角孔を利用して取り付けることができ施工が容易となる。
【００１５】
【実施例】
（実施例１）
以下、本発明の第１実施例について図１〜図４を参照しながら説明する。
【００１６】
図に示すように、吸込口１と吐出口２とを有し、内部に排気用送風機３を介して吸込口１と室外４を連通する排気通路５を形成し、循環用送風機６および熱交換器７を介して吸込口１と吐出口２とを連通する循環通路８を形成して箱状の本体９を構成する。
【００１７】
そして、本体９の吸込口１と吐出口２を浴室１０と連通するように吸込口１に対応する角形の吸込ダクト１１ａと吐出口２に対応する角形の吐出ダクト１１ｂよりなる角形ダクト１１を取付板１２に設け、取付板１２を介して本体９に角形ダクト１１を着脱自在に設け、角形ダクト１１の端部となる浴室１０側にはグリル１３を設ける。
【００１８】
また、角形ダクト１１の大きさは既築の浴室１０の壁部１４に形成された自然換気用または換気扇用の角孔１５（縦約１５ｃｍ，横約２０ｃｍ）に装着できる形状とする。
【００１９】
そして、壁部１４に形成された貫通孔１６が丸形の場合にも対応できるように、角形ダクト１１に設けられた取付板１２と同一外形の取付板１２Ａに丸形の吸込ダクト１７ａと丸形の吐出ダクト１７ｂからなる丸形ダクト１７を設ける。
【００２０】
上記構成において、浴室１０の壁部１４に角孔１５が形成されている場合には本体９に取付板１２を介して角形ダクト１１を設け、浴室１０の壁部１４に形成された角孔１５に角形ダクト１１を装着して本体９を壁部１４に取り付け、本体９の吸込口１と吐出口２を角形ダクト１１を介して浴室１０と連通させる。
【００２１】
そして、浴室１０内に吊り下げられる洗濯物（図示せず）を乾燥する場合には、浴室１０内の湿った空気を排気用送風機３により角形ダクト１１の吸込ダクト１１ａより吸い込み、本体９の吸込口１より本体９内に吸気して室外４に排出するとともに、循環用送風機６により吸込口１より本体９内に吸気された空気の一部を熱交換器７により加熱し温風に変換して本体９の吐出口２より角形ダクト１１の吐出ダクト１１ｂを通り浴室１０内に吐出して洗濯物が乾燥されることとなる。
【００２２】
また、浴室１０の壁部１４に丸形の貫通孔１６を形成した場合には、本体９に丸形ダクト１７を取付板１２を介して取り付け、貫通孔１６に丸形ダクト１７を装着して本体９を取り付ける。
【００２３】
そして、角形ダクト１１を使用した場合と同様に作用して洗濯物の乾燥が行われることとなる。
【００２４】
このように本発明の第１実施例の浴室換気乾燥装置によれば浴室１０の壁部１４に丸形の貫通孔１６を形成した場合や角孔１５を形成した場合の何れの場合にも対応ができ施工が容易となる。
【００２５】
また、既築の浴室１０の壁部１４に形成された自然換気用または換気扇用の角孔１５を利用して設置が可能となるので、浴室１０の壁部１４にあらためて貫通孔１６を設ける必要がなくなり施工コストも安く容易に施工できる。
【００２６】
（実施例２）
以下、本発明の第２実施例について図５および図６を参照しながら説明する。なお、第１実施例と同一部分には同一符号を付けて詳細な説明は省略する。
【００２７】
図に示すように、角形ダクト１１の取付板１２Ｂの上部側に本体９Ａ側に向けＬ字状に突出した引掛部１８を設け、引掛部１８が対応する本体部分となる背面板９ａに引掛部１８が係合する切欠部１９を設ける。
【００２８】
そして、本体９Ａの背面板９ａには本体９Ａを壁部１４に取り付ける取付ねじ２０の挿通する挿通孔２１を設け、本体９Ａの前面側には本体９Ａに着脱自在に前面板２２を設ける。
【００２９】
また、図示していないが、丸型ダクトの取付板にも角形ダクト１１の取付板１２Ｂと同様に引掛部１８を設ける。
【００３０】
上記構成において、本体９Ａを取り付ける場合には、壁部１４に形成された角孔１５に角形ダクト１１を挿入し、角形ダクト１１の取付板１２Ｂに設けた引掛部１８に本体９Ａの背面板９ａに設けられた切欠部１９を係合して本体９Ａを仮固定したのち取付ねじ２０を背面板９ａに設けた挿通孔２１を挿通し壁部１４に螺合して本体９Ａを壁部１４に固定する。
【００３１】
また、丸形ダクトを使用する場合も角形ダクト１１を使用した場合と同様の作業により本体９Ａを固定することとなる。
【００３２】
このように本発明の第２実施例の浴室換気乾燥装置によれば、角形ダクト１１および丸形ダクト１７を本体９Ａに取り付ける取付板１２Ｂに引掛部１８を設け、本体９Ａに形成した切欠部１９を引掛部１８に係合して本体９Ａが仮固定できるので、本体９Ａの取り付け作業が一人で容易にでき施工性が向上することとなる。
【００３３】
【発明の効果】
以上の実施例から明らかなように、本発明によれば取付板に設けた角形のダクト、および前記取付板と同一外形の取付板に設けた丸形のダクトとを備え、前記ダクトを前記浴室の壁部を貫通して形成される貫通孔に対応して角形あるいは丸形に交換可能に、前記本体に有した吸込口と吐出口を浴室と連通するように前記本体に前記取付板を介して着脱自在に設けるように構成しているので、浴室の壁部を貫通して設けられ貫通孔が角形または丸形の何れの場合も容易に設置できる浴室換気乾燥装置を提供できる。
【００３４】
また、角形および丸形のダクトの取付板に引掛部を設け、引掛部が対応する本体部分に引掛部が係合する切欠部を設けているので、前記引掛部に切欠部が係合して本体が仮固定され、本体の取り付け作業が一人で容易にできる。
【００３５】
また、既築の浴室の外壁に形成されている自然換気用または換気扇用の角孔に装着できる形状に角形ダクトを形成しているので、自然換気用または換気扇用の角孔を利用して設置が可能となり、浴室の壁部に新たに貫通孔を設ける必要がなくなり施工コストも安く容易に施工できる。
【図面の簡単な説明】
【図１】本発明の第１実施例の角ダクトを取り付けた状態を示す浴室換気乾燥装置の断面図
【図２】同第１実施例の浴室換気乾燥装置の角ダクトの取り付け状態を示す斜視図
【図３】同第１実施例の浴室換気乾燥装置の丸ダクトの取り付け状態を示す斜視図
【図４】同第１実施例の浴室換気乾燥装置の丸ダクトの取り付け状態を示す断面図
【図５】同第２実施例の取り付け前の浴室換気乾燥装置の状態を示す断面図
【図６】同第２実施例の浴室換気乾燥装置の取り付け状態を示す断面図
【図７】従来の浴室換気乾燥装置の丸ダクトを取り付けた状態を示す斜視図
【図８】同従来の浴室換気乾燥装置の取り付け状態を示す断面図
【符号の説明】
１      吸込口
２      吐出口
３      排気用送風機
４      室外
５      排気通路
６      循環用送風機
７      熱交換器
８      循環通路
９      本体
９Ａ    本体
１０    浴室
１１    角形ダクト
１２    取付板
１２Ａ  取付板
１２Ｂ  取付板
１４    壁部
１５    角孔
１６    貫通孔
１７    丸形ダクト
１８    引掛部
１９    切欠部
【図１】
0003655941.tif 000002
【図２】
0003655941.tif 000003
【図３】
0003655941.tif 000004
【図４】
0003655941.tif 000005
【図５】
0003655941.tif 000006
【図６】
0003655941.tif 000007
【図７】
0003655941.tif 000008
【図８】
0003655941.tif 000009